(57)【要約】      （修正有）【課題】電気扉錠の施開錠動作にともなう騒音を低減し、静音化する錠前筐体の構造を備えた電気扉錠の提供。【解決手段】錠前筐体を、駆動ユニット筐体１とデッドボルト機構筐体２の二つに分け、駆動ユニット筐体１は主な騒音源であるモータやギァ列を配置密閉して防振防音材料で製作し、デッドボルト機構筐体２はデッドボルト駆動機構を配置した防犯上有効で強固な筐体とした。二つの筐体を防振防音連結部材４で連結し、その間に一本の出力駆動ロッド５を配置して、出力駆動ロッド５の上下移動によって施開錠を行う。【選択図】図１
2007107226.tif 000002
【特許請求の範囲】
【請求項１】
電気扉錠において、静音化のために、騒音源であるモータ、ギァ列が配置された、防振防音材料で作られた、密閉した駆動ユニット筐体１と、デッドボルト機構が配置されたデッドボルト機構筐体１２の、二つの筐体に分けて構成し、それらを連結して一体の錠前筐体を構成した電気扉錠。
【請求項２】
駆動ユニット筐体１とデッドボルト機構筐体１２の間を貫通し、上下運動する出力駆動ロッド５と、当該上下往復運動を、デッドボルトの水平出没運動に変換するデッドボルト駆動レバー７と、からなることを特徴とする請求項１記載の電気扉錠。
【発明の詳細な説明】
【技術分野】
【０００１】
この発明は、蝶番で開閉する扉の施錠用扉錠で、電気扉錠に関する。
【背景技術】
【０００２】
従来の電気扉錠では、施開錠の動作のために、電動の小型モータを駆動し、多数のギァ列を使用して、モータからの最終出力の力量を減速歯車列を介してトルクの増加をはかり、施開錠の動作に充分な力量を確保する必要があった。また、施開錠時の、扉と扉枠の相互の状態が、適正な条件に保たれない、悪い条件下では（たとえば、扉内外の風圧差や、扉枠や扉自体の建築構造的な歪などのよって）、デッドボルトと、それを受ける相手のストライカが、その相互の位置を適正に保持することができない状態になることもあって、デッドボルトとストライカとの適正の相互位置での必要なデッドボルト駆動力量をはるかに超えた、過剰でもある強い力量が必要であるため、モータとギァ列からなる施開錠の駆動系は、その過剰の力量をつねに設定確保することが必要であった。
【０００３】
そのため、動力源である電動の小型モータには、そのモータ寿命を短くするほどの過負荷な電源を供給して高速回転で駆動することになり、その高速回転のために、モータ内部の回転子やブラシ、そして回転子軸受けなどの部品から振動が発生し、大きな騒音源となっている。また、モータ回転で駆動される、ギア列も、上述の、過剰の力量確保のために、多数を使用しなくてはならず、そのために、ギア相互の、回転と噛合いのために、振動と、摩擦音、衝突音などの、大きな作動音を発生し、このことも大きな騒音源になっている。
【特許文献１】特開平７−１９７７０８
【発明の開示】
【発明が解決しようとする課題】
【０００４】
従来の電動モータとギァ列で駆動する電気扉錠には、上述の、騒音という問題点があり、静かな錠前動作音を要求される、夜間や、静音を必要とする場所では、ことに困った問題であった。        
【０００５】
本発明は、蝶番で開閉する扉の、施開錠の動作にともなう騒音を、低減し、静音化する錠前筐体の構造を備えた電気扉錠を提供することを目的としている。
【課題を解決するための手段】
【０００６】
従来の電気扉錠では、駆動源のモータとそれ以後の駆動ギァ列と、それに駆動されるデッドボルトの移動機構が、ひとつの金属の筐体のなかに混合、雑居していた。そのため、錠前筐体が、内部の作動部品の振動を、増幅、拡大する共鳴箱となってしまい、騒音を避けることは困難であった。本発明は上記目的を達成するために、従来の一体の筐体のなかにすべての機構を混在させることを改めて、２体の筐体として、ひとつの筐体は、主音源である駆動モータおよび駆動歯車列を密閉構造とするように構成する。
【０００７】
この筐体を、以後、駆動ユニット筐体と呼ぶ。駆動ユニット筐体は、内部から発生する作動による振動、騒音を遮断するため密閉性を高め、共鳴しにくい、ゴム質の防振防音材料で作る。また、本来の錠前の機能を果たすデッドボルト駆動機構は、まとめて、もうひとつの筐体のなかに配置する。この筐体を、以後、デッドボルト機構筐体と呼ぶ。この筐体は、防犯上、破壊を防ぐために、強固な素材、たとえば金属で構成する。これら二つの筐体を、防振材料あるいは防振部材を介して連結し、まとめて一体の錠前筐体を構成する。また、防振材料あるいは防振部材は、別の部材ではなく、駆動ユニット筐体と一体に形成してもよい。施開錠のための駆動力量の伝達は、駆動ユニット筐体の、力量の出力端である一本の出力駆動ロッドが、デッドボルト機構筐体の力量入力端と連結し、施錠、開錠を行う。
【発明の効果】
【０００８】
駆動ユニット筐体では、その筐体を構成する材料を、防振防音材料とすることで、発生しようとする騒音は、駆動ユニット筐体に留まり防音され、あるいは制振、防振されて、電動錠を静音化する
【発明を実施するための最良の形態】
【０００９】
本発明を図１、図２に示す実施例に基づいて説明する。
【実施例】
【００１０】
施錠状態を図１に、開錠状態を図２に示す。
【００１１】
錠前筐体は２体で構成される。上部は、駆動ユニット筐体１、下部は、デッドボルト機構筐体１２である。この２体は、防振防音連結部材４で結合されている。この防振防音連結部材４は、駆動ユニット筐体１と一体で形成してもよい。
【００１２】
駆動ユニット筐体１には、電動機構ユニット３が配置される。電源線２への電力供給によって、電動機構ユニット３内の、図示されないモータやギァ列で構成した電気駆動機構が、出力駆動ロッド５を上下に移動させる。
【００１３】
出力駆動ロッド５は、駆動ユニット筐体１の下部底面の穴と、デッドボルト機構筐体１２の上部上面の穴から、デッドボルト機構筐体１２内に突出し、連結軸１４で、デッドボルト駆動レバー７と連結される。
【００１４】
錠前筐体の下部のデッドボルト機構筐体１２には、その側面穴から出入するデッドボルト９が配置される。デッドボルト９は、デッドボルト９に設置されるスライドガイド１０と、デッドボルト機構筐体１２に固着されたスライドガイド壁１１とスライドガイドピン１３によって、横方向、つまり施錠から開錠、開錠から施錠方向に滑動できる。
【００１５】
デッドボルト９の上部中央には、デッドボルト駆動ピン８が設置されていて、デッドボルト駆動レバー７のレバー端の長円穴にデッドボルト駆動ピン８が嵌まり込む。デッドボルト駆動レバー７の、もうひとつのレバー端には、連結軸１４が設置されていて、駆動ユニット筐体１から延伸している出力駆動ロッド５の先端部の長円穴に嵌まり込み、連結している。
【００１６】
デッドボルト駆動レバー７は、デッドボルト機構筐体１２に固着されたレバー回動軸６によって回動する。
【００１７】
次に、この扉錠の動作について説明する。
【００１８】
電源線２に電力が供給されると、駆動ユニット筐体１内の電動機構ユニット３の出力駆動ロッド５は上下に移動する。このときに発生する電動機構ユニット３内のモータ音、ギァ回転音は、駆動ユニット筐体を構成する防振防音材料によって防音、制振、吸収され、ほとんど、駆動ユニット外部に漏れない。また、駆動ユニット筐体１とデッドボルト機構筐体１２を連結する防振防音連結材４によっても、駆動ユニット筐体１からの振動、騒音が、遮断吸収されて、デッドボルト機構筐体１２に伝わることはなく、静音化が達成できる。
【００１９】
出力駆動ロッド５の上下の移動によって、デッドボルト駆動レバー７の一端の連結軸１４は上下に移動し、デッドボルト駆動レバー７はレバー回動軸６を中心に回動する。デッドボルト駆動レバー７のもう一端の長円穴は、その回動に伴い、デッドボルト駆動ピン８を左右に移動させる。そのため、デッドボルト９は、スライドガイド溝１０、スライドガイド壁１１、スライドガイドピン１３によって案内され、施錠から開錠、開錠から施錠方向へ滑動する。施錠、開錠を決定するのは、電源線へ供給する直流電源の極性の正転、逆転による。
【図面の簡単な説明】
【００２０】
【図１】施錠状態を示す、錠前筐体の構造平面図
【図２】開錠状態を示す、錠前筐体の構造平面図
【符号の説明】
【００２１】
１  駆動ユニット筐体  
２  電源線  
３  電動機構ユニット
４  防振防音連結部材
５  出力駆動ロッド  
６  レバー回動軸
７  デッドボルト駆動レバー
８  デッドボルト駆動ピン
９  デッドボルト
１０  スライドガイド溝
１１  スライドガイド壁
１２  デッドボルト機構筐体
１３  スライドガイドピン
１４  連結軸
【図１】
2007107226.tif 000003
【図２】
2007107226.tif 000004